(57)【要約】  本発明は、４つのガードル辺（２）及び４つのガードルコーナー（１）を有するガードル（３）と、平らなファセットによって実現されたテーブル（４）と、テーブル（４）とガードル（３）との間で第１方向（Ｈ）に延在するクラウン（７）と、前記ガードル（３）とパビリオンの先端（１４）との間で前記第１方向（Ｈ）と反対の第２方向（Ｂ）に延在するパビリオン（１３）と、を備えるカットされた宝石に関する。その宝石の注目すべき点は、クラウン（７）が２４面のファセットを有し、パビリオン（１３）が３２面のファセットを有し、４つのガードル辺（２）が、同じ円弧の形になっており、その円弧の窪みが宝石の外側の方に向いていることである。
2017536890.tif 000002
【特許請求の範囲】
【請求項１】
４つのガードル辺（２）及び４つのガードル頂点（１）を有するガードル（３）と、
平らなファセットによって形成されたテーブル（４）と、
前記テーブル（４）と前記ガードル（３）との間で第１方向（Ｈ）に延在するクラウン（７）と、
前記ガードル（３）とパビリオン先端（１４）との間で前記第１方向（Ｈ）と反対の第２方向（Ｂ）に延在するパビリオン（１３）と、
を備えるカットされた宝石であって、
前記クラウン（７）が２４面のファセットを有し、前記パビリオン（１３）が３２面のファセットを有しており、前記４つのガードル辺（２）は、同じ円弧の形になっており、前記円弧の窪みが前記宝石の外側の方に向いていることを特徴とする、カットされた宝石。
【請求項２】
前記クラウン（７）が、
前記テーブル（４）の四隅に位置付けられた４面のテーブルコーナーファセット（９）と、
４つの側面と
を備え、
前記クラウンの前記４つの側面のそれぞれが、
少なくとも１つのブレイクファセット（１１）と、
前記ブレイクファセット（１１）と第１のテーブルコーナーファセット（９）との間に位置付けられた第１のクラウンスターファセット（１２）と、
前記ブレイクファセット（１１）と第２のテーブルコーナーファセット（９）との間に位置付けられた第２のクラウンスターファセット（１２）と
を備える、請求項１に記載されたカットされた宝石。
【請求項３】
前記クラウン（７）の前記２４面のファセットが、４つの側面（８）、４面のべゼルファセット（１０）、４面のブレイクファセット（１１）、８面のスターファセット（１２）、及び４面のテーブルコーナーファセット（９）を含む、請求項２に記載されたカットされた宝石。
【請求項４】
前記テーブル（４）がテーブル平面（Ｐ２）内にあり、
各べゼルファセット（１０）がべゼル平面（Ｐ１）内にあり、
べゼル平面（Ｐ１）が、前記テーブル平面（Ｐ２）に対して概ね３５°から３９°の間の角度で傾斜している、請求項３に記載されたカットされた宝石。
【請求項５】
前記パビリオン（１３）が、
４面のパビリオンブレイクファセット（２１）と、
前記パビリオン先端（１４）と前記ガードル（３）の前記ガードル頂点（１）とを結ぶ４面のパビリオンスターファセット（１６）を有するパビリオンスター（１５）と、
前記４面のパビリオンブレイクファセット（２１）で囲まれた中で、パビリオンスターファセット（１６）とパビリオンブレイクファセット（２１）との間に、各パビリオンスターファセット（１６）の両側にそれぞれ位置付けられた少なくとも３面の下側パビリオンファセット（２６）と、
を備える、請求項１から４のいずれか一項に記載されたカットされた宝石。
【請求項６】
前記パビリオン（１３）の前記３２面のファセットが、４面のパビリオンブレイクファセット（２１）、４面のパビリオンスターファセット（１６）、及び、２４面の下側パビリオンファセット（２６）を含む、請求項５に記載されたカットされた宝石。
【請求項７】
前記テーブル（４）がテーブル平面（Ｐ２）内にあり、
各パビリオンブレイクファセット（２１）がパビリオンブレイク平面（Ｐ３）内にあり、
各パビリオンブレイク平面（Ｐ３）が、前記テーブル平面（Ｐ２）に対して概ね５８°から６２°の間の角度で傾斜している、請求項５又は６に記載されたカットされた宝石。
【請求項８】
各ガードル辺（２）が、隣り合う２つのガードル頂点（１）の間の最短距離であるガードル辺長さ（Ｌ）を有し、
前記パビリオンスター（１５）が、前記パビリオン先端（１４）の近くに断面正方形状のベース（１９）を有し、
前記断面正方形状のベース（１９）の対角線（２０）が、前記ガードル辺長さ（Ｌ）の概ね５％から１１％の間である、請求項５から７のいずれか一項に記載されたカットされた宝石。
【請求項９】
各ガードル辺（２）が、隣り合う２つのガードル頂点（１）の間の最短距離であるガードル辺長さ（Ｌ）を有し、
各ガードル辺（２）が、前記隣り合う２つのガードル頂点（１）を結ぶ線に垂直な最大深さ（Ｌ２）を有し、
前記最大深さ（Ｌ２）が、前記ガードル辺長さ（Ｌ）の５．５％から９．５％の間に概ね相当する、請求項１から８のいずれか一項に記載されたカットされた宝石。
【請求項１０】
各ガードル辺（２）が、隣り合う２つのガードル頂点（１）の間の最短距離であるガードル辺長さ（Ｌ）を有し、
前記テーブル（４）が、８つのテーブル頂点（５，６）を有し、そのうちの４つのテーブル頂点はテーブルコーナー（５）でもあり、前記テーブルコーナー（５）と交互にある他の４つの頂点はブレイクファセット頂点（６）でもあり、
ブレイクファセット頂点（６）と前記隣り合う２つのガードル頂点（１）を結ぶ線との間の、前記線に対して垂直な距離（Ｌ１）が、概ね前記ガードル辺（２）の前記ガードル辺長さ（Ｌ）の１８％から２２％の間である、請求項１から９のいずれか一項に記載されたカットされた宝石。
【請求項１１】
前記宝石がダイヤモンドである、請求項１から１０のいずれか一項に記載されたカットされた宝石。
【請求項１２】
請求項１から１１のいずれか一項に記載されたカットされた宝石を少なくとも１つ備える宝飾品の品物。
【発明の詳細な説明】
【技術分野】
【０００１】
本発明は、カットされた宝石、及びそのような宝石を備える品物に関する。
【０００２】
また、公知の「プリンセスカット」でカットされた宝石で得られる光反射の光学特性よりも優れた光反射の光学特性を有することができ、結果的に得られる輝きがより強くなるように、カットされた宝石に対して行われる改善に関する。
【背景技術】
【０００３】
プリンセスカットは、宝石に広く用いられており、「ラウンドブリリアント」の次にダイヤモンドに最も輝きを与えるカットの１つである。
【０００４】
米国特許第８，１８１，４８２号は、バタフライ形状を思わせる、プリンセスカットに基づくカットを持つ宝石を開示している。この文献で説明されている、カットされた宝石は、
‐  ４つのガードル辺及び４つのガードル頂点を有するガードルと、
‐  平らなファセットによって形成されたテーブルと、
‐  テーブルとガードルとの間で第１方向に延在するクラウンと、
‐  前記ガードルとパビリオン先端との間で前記第１方向と反対の第２方向に延在するパビリオンと、
を備える。
【先行技術文献】
【特許文献】
【０００５】
【特許文献１】米国特許第８，１８１，４８２号明細書
【発明の概要】
【発明が解決しようとする課題】
【０００６】
本発明は、とりわけ光り輝く、代替のカットされた宝石を提供することを目的とする。
【課題を解決するための手段】
【０００７】
この目的のため、問題の様式のカットされた宝石を提案しており、その注目すべき点は、クラウンが２４面のファセットを有し、パビリオンが３２面のファセットを有し、４つのガードル辺が、同じ円弧の形になっており、その円弧の窪みが宝石の外側の方に向いている。
【０００８】
このようにしてカットされると、宝石は、米国特許第８，１８１，４８２号で説明された宝石で得られる輝きよりもはっきりした輝きを持つ。
【０００９】
本発明によれば、また、宝石は、下記に示された特徴を、個別に又は組み合わせて有してもよい。
【００１０】
クラウンに関しては、
‐  テーブルの四隅に位置付けられた４面のテーブルコーナーファセットと、
‐  ４つの側面と
を備え、クラウンの４つの側面のそれぞれが、
・  少なくとも１つのブレイクファセットと、
・  ブレイクファセットと第１のテーブルコーナーファセットとの間に位置付けられた第１のクラウンスターファセットと、
・  ブレイクファセットと第２のテーブルコーナーファセットとの間に位置付けられた第２のクラウンスターファセットと、
を備えてもよい。
【００１１】
この実施形態の文脈では、クラウンの２４面のファセットは、４つの側面、４面のべゼルファセット、４面のブレイクファセット、８面のスターファセット、及び４面のテーブルコーナーファセットを含むように配置されてもよい。
【００１２】
さらに、下記に示された実施形態によれば、カットされた宝石で特に高い輝きが得られ、そのカットされた宝石では、
‐  テーブルがテーブル平面内にあり、
‐  各べゼルファセットがべゼル平面内にあり、
べゼル平面が、テーブル平面に対して概ね３５°から３９°の間の角度で傾斜している。
【００１３】
パビリオンに関しては、
‐  ４面のパビリオンブレイクファセットと、
‐  パビリオン先端とガードル頂点とを結ぶ４面のパビリオンスターファセットを有するパビリオンスターと、
‐  前記４面のパビリオンブレイクファセットで囲まれた中で、パビリオンスターファセットとパビリオンブレイクファセットとの間に、各パビリオンスターファセットの両側にそれぞれ位置付けられた少なくとも３面の下側パビリオンファセットと、
を備えてもよい。
【００１４】
この実施形態では、パビリオンの３２面のファセットは、４面のパビリオンブレイクファセット、４面のパビリオンスターファセット、及び２４面の下側パビリオンファセットを含むように設けられてもよい。
【００１５】
さらに、下記に示された実施形態によれば、カットされた宝石で特に高い輝きが得られ、そのカットされた宝石では、
‐  テーブルがテーブル平面内にあり、
‐  各パビリオンブレイクファセットがパビリオンブレイク平面内にあり、
各パビリオンブレイク平面が、テーブル平面に対して概ね５８°から６２°の間の角度で傾斜している。
【００１６】
さらなる輝きを得るために、カットされた宝石は、下記の特徴を有するように作られてもよく、
‐  各ガードル辺が、隣り合う２つのガードル頂点の間の最短距離であるガードル辺長さを有し、
‐  前記パビリオンスターは、パビリオン先端の近くに断面正方形状のベースを有し、
断面正方形状のベースの対角線の長さが、ガードル辺長さの概ね５％から１１％の間、好ましくは５．５％から１０．５％の間である。
【００１７】
また、カットされた宝石は、下記の特性も含んでもよく、
‐  各ガードル辺が、隣り合う２つのガードル頂点の間の最短距離であるガードル辺長さを有し、
‐  各ガードル辺が、隣り合う２つのガードル頂点を結ぶ線に垂直な最大深さを有し、
前記最大深さが、前記ガードル辺長さの５．５％から９．５％の間に概ね相当する。
【００１８】
また、カットされた宝石は、下記の特性をさらに含んでもよく、
‐  各ガードル辺は、隣り合う２つのガードル頂点の間の最短距離であるガードル辺長さを有し、
‐  テーブルは、８つのテーブル頂点を有し、そのうちの４つのテーブル頂点は、テーブルコーナーでもあり、テーブルコーナーと交互にある他の４つの頂点は、ブレイクファセット頂点でもあり、
ブレイクファセット頂点と隣り合う２つのガードル頂点を結ぶ線との間の、前記線に対して垂直な距離は、概ね前記ガードル辺長さの１８％から２２％の間である。
【００１９】
本発明の一実施形態に従って、宝石はダイヤモンドである。
【００２０】
また、本発明は、上記で規定されたような宝石を少なくとも１つ備える宝飾品の品物にも関する。
【００２１】
下記の説明では、本発明は、それを実施することができるように、下記の図面と併せて、十分に明確かつ包括的に説明されている。
【図面の簡単な説明】
【００２２】
【図１】図１は、本発明の有利な実施形態に係る宝石を上面視で示している。
【図２】図２は、図１に示された宝石を底面視で示している。
【図３】図３は、図１及び図２に図示された宝石を側面視で示している。
【発明を実施するための形態】
【００２３】
下記の説明では、「下側」、「上側」、「上面」、「底面」などの用語は、理解を容易にするために、図面に関連して用いられる。これらは本発明の範囲を限定するものとして理解されない。
【００２４】
図１から図３に図示された宝石は、ダイヤモンドをプリンセスカットして作り出される（正方形のベースを有するピラミッドに似ている一般的な形状のダイヤモンドを意味する）。ただし、後述する特定の宝石カットをその他の貴石又は半貴石で行うことは当業者にとって容易であろう。
【００２５】
下記の説明では、まず、宝石が宝飾品に設置されたときに通常は宝飾品の品物の外側に提示される宝石の部分を意味する宝石の上側部分について言及する。これは観察者が直接視認できる宝石の部分である。
【００２６】
従来の方式では、宝石の上側部分は、平らなファセットによって形成された宝石テーブルと、テーブルを包囲すると共にいくつかの隣接するファセットから構成されるクラウンと、を備える。クラウンは、実質的に第１方向Ｈに延在する（図３を参照）。
【００２７】
対照的に、宝飾品の品物の方に向けられた宝石の下側部分は、宝石のパビリオンと称される。パビリオンは、方向Ｈと逆の方向Ｂに延在し、図２を参照して後述する。
【００２８】
図１は、本発明に係る宝石の上面図であり、ひいては、実質的に正方形である一般的な形状を持っ宝石の上側部分を示している。
【００２９】
「ガードル」は、宝石の寸法となる宝石のうちの最も広い部分であり、よって、図示された宝石は、それぞれ同じ長さを持った４つのガードル辺２によって互いに結ばれた４つの頂点１（以下、ガードル頂点と称する）を有するガードル３を有しており、そのガードル３は形状が実質的に正方形である。
【００３０】
図１に見られるように、４つのガードル辺２は各々、円弧（凹曲）の形になっており、その円弧の窪みが、宝石の外側の方に向いている。
【００３１】
図３は宝石のガードル３のガードル辺２を図示しており、ガードル３は、図３において２つのガードル頂点１の間の鎖線で概略的に示されている。
【００３２】
図１に示された宝石の上側部分の中央には、八角形のテーブル４がある。八角形のテーブル４の頂点のうちの４つは、ガードルの対角線Ｄ１又は対角線Ｄ２に沿ってガードル頂点１と一直線に並んでおり、テーブルコーナー頂点５を形成する。テーブル４の他の頂点は、テーブルコーナー頂点５と交互にあり、ブレイクファセット頂点６を構成する。
【００３３】
ガードル３のガードル辺２は各々、隣り合う２つのガードル頂点１の間の最短距離であるガードル辺長さＬを持っている。
【００３４】
ブレイクファセット頂点６はそれぞれ、隣り合う２つのガードル頂点１から等距離にある。ブレイクファセット頂点６の位置は、２つのガードル頂点１を結ぶ線Ｄ３に対して垂直であって２つのガードル頂点１を結ぶ線分の中央Ｃを通過する線Ｄ４上に選択される。中央Ｃとブレイクファセット頂点６との間の距離Ｌ１は、その距離がガードル辺２の長さＬの概ね１８％から２２％の間となるように選択される。
【００３５】
図１に図示された実施例では、中央Ｃとブレイクファセット頂点６との間の距離Ｌ１は、２つのガードル頂点１の間の長さＬの概ね２０％に相当する。
【００３６】
また、ガードル辺２の窪みの深さＬ２は、２つのガードル頂点１の間の最短長さＬに応じて選択される（図１を参照）。
【００３７】
深さＬ２は、ガードル辺２の長さＬの概ね５．５％から９．５％の間に相当する（図１を参照）。
【００３８】
宝石のクラウン７は、テーブル４とガードル３のガードル辺２との間に形成される（図１及び図３を参照）。
【００３９】
クラウン７は、図面に図示された実施例では、ガードル辺２の曲率に倣う四面に相当する４つの側面８を備える（図３を参照）。
【００４０】
クラウン７は、テーブル４の四隅に、実質的にダイヤモンド形状である４面のテーブルコーナーファセット９を有しており、そのテーブルコーナーファセット９の頂点のうちの１つは、テーブルコーナー頂点５によって形成されており、反対側の頂点は、ガードル頂点１によって形成されている。テーブルコーナーファセット９の他の２つの頂点は、図１にＴで表示されている。
【００４１】
また、クラウンは、隣り合う２つのガードル頂点１の間、及び、隣り合うガードル頂点１に関連して考慮される隣り合う２つのテーブルコーナーファセット９の２つの頂点Ｔの間に画定されたファセットによって形成された４面のべゼルファセット１０も備える。
【００４２】
テーブル４の平面に対する相対的なべゼルファセットの傾斜は、べゼルファセットの平面Ｐ１とテーブル４がある平面Ｐ２との成す角度αが３５°から３９°の間（図３に図示された実施例では概ね３７°）であるようになっている。
【００４３】
クラウン７は、ブレイクファセット１１と称される４面のファセットをさらに備え、そのファセットは、形状が三角形であり、べゼルファセットとテーブル４との間に位置し、頂点として、（べゼルファセット１０と共有する）２つの頂点７と（テーブル４と共有する）ブレイクファセット頂点６とを有する。
【００４４】
最後に、クラウンは、４面のテーブルコーナーファセット９とテーブル４とブレイクファセット１１との間に、８面のスターファセット１２を有しており、これらのスターファセット１２は、各々、形状が三角形であり、テーブル４の周囲に星を形成するので、そのように称される。
【００４５】
この方式でカットされると、図面に示された本発明に係る宝石は、合計で２４面のファセットを有するクラウン７を備える。
【００４６】
ここで、本発明に係る宝石のパビリオンについて、特に図２を参照して言及する。
【００４７】
パビリオン１３は、ガードル３とパビリオン１３が備えるパビリオン先端１４との間に延在する。ガードル３の形状が実質的に正方形であるので、パビリオン１３は、正方形のベースを有するピラミッドの形状を実質的に有する。
【００４８】
パビリオン１３は、パビリオン先端１４とガードル頂点１の各々とを結ぶ４つのアームを有するパビリオンスター１５を備える。パビリオンスターの４つのアームは、「パビリオンスターファセット１６」と称される。
【００４９】
アームは各々、幅広の底辺１７と、ガードル頂点につながる先端１８を形成する先細端とを有する。４面のパビリオンスターファセット１６の幅広の底辺１７は、（破線で示された）正方形の観念的な四辺を形成し、その正方形の中央はパビリオン先端１４によって画定された（図２を参照）。
【００５０】
つまり、パビリオンスター１５は、パビリオン先端１４の近くに、断面正方形状のベース１９を有する。
【００５１】
本発明の宝石の１つの特徴によれば、ベース１９は対角線２０を有し、その対角線２０の長さは、ガードル辺長さＬの５％から１１％の間であり、好ましくは、５．５％から１０．５％の間である。この実施例では、対角線２０の長さは、概ね長さＬの８％に等しい。
【００５２】
パビリオンスター１５に加えて、パビリオン１３は、側面８に隣接する４面のパビリオンブレイクファセット２１を有する。
【００５３】
各パビリオンブレイクファセット２１は、３つの辺を有する平らなファセットによって形成されており、第１の辺２２は、湾曲しており、側面８の辺を兼ねている。第２の辺２３及び第３の辺２４は同じ長さであり、第２の辺２３及び第３の辺２４は各々、ガードル頂点１と対角線２０を含む線上に位置する点２５とを結んでいる。
【００５４】
対角線２０を含む線上の点２５の位置は、テーブル４の平面Ｐ２に対する相対的なパビリオンブレイクファセットの平面Ｐ３の向きによって決定され、本発明によれば、平面Ｐ２に対する相対的な平面Ｐ３の傾斜の角度は、概ね６０°（±２°、図３を参照）である。
【００５５】
パビリオンブレイクファセット２１とパビリオンスターファセット１６との間には、３つの下側パビリオンファセット２６が設けられている。
【００５６】
各下側パビリオンファセット２６は、形状が三角形であり、対角線２０を含む線に含まれる底辺２７、及び、底辺２７とガードル頂点１とを結ぶ２つの辺を有する。
【００５７】
このように、３面の下側パビリオンファセット２６は、対角線２０と点２５とを含む線に沿って一直線に並んだ３つの底辺２７を有する。下側パビリオンファセット２６の位置によって、下側パビリオンファセット２６は、パビリオンスターファセット１６やパビリオンブレイクファセット２１と共有する辺を有してもよく、或いは、下側パビリオンファセット２６が他の２つの下側パビリオンファセット２６の間にある場合にそのような共有の辺を有していなくてもよい。
【００５８】
パビリオン１３は、合計で２４面の下側パビリオンファセット２６を備えており、それらの下側パビリオンファセット２６では、対角線２０を含む線に相当する軸に対して軸対称な像である２つの下側パビリオンファセット２６同士が底辺２７を共有している。
【００５９】
このように実施されると、図面に示された宝石のパビリオンは、２４面の下側パビリオンファセット２６と４面のパビリオンブレイクファセット２１と４面のパビリオンスターファセット１６とを含む３２面のファセットを備える。
【００６０】
本発明は、ここで説明した特定の宝石に限定されない。さらに、本発明は、上記で説明されたり示されたりしたもののような、少なくとも１つの宝石を備える宝飾品の任意の品物にまで拡大される。
【符号の説明】
【００６１】
１  ガードル頂点
２  ガードル辺
３  ガードル
４  テーブル
５  テーブルコーナー頂点（テーブル頂点、テーブルコーナー）
５  テーブルコーナー頂点
６  ブレイクファセット頂点
７  クラウン
８  側面
９  テーブルコーナーファセット
１０  ゼルファセット
１１  ブレイクファセット
１２  スターファセット
１３  パビリオン
１４  パビリオン先端
１５  パビリオンスター
１６  パビリオンスターファセット
１７  底辺
１８  先端
１９  ベース
２０  対角線
２１  パビリオンブレイクファセット
２２  第１の辺
２３  第２の辺
２４  第３の辺
２５  点
２６  下側パビリオンファセット
２７  底辺
Ｐ１  べゼル平面
Ｐ２  テーブル平面
Ｐ３  パビリオンブレイク平面
【図１】
2017536890.tif 000003
【図２】
2017536890.tif 000004
【図３】
2017536890.tif 000005
【国際調査報告】
2017536890.tif 000006
2017536890.tif 000007
2017536890.tif 000008
2017536890.tif 000009